(57)【要約】【課題】交換、点検等に際しての発光体の取り外しを簡単な機構によって良好な作業性で達成できる照明装置を提供すること。【解決手段】固定部材４３としてのボルト１０ｊによって枢支部材４１を後退した後退位置に固定した状態において、枢支部材４１に支持された発光装置（発光体）１０も後退して表示を行わせることができる状態になる。その後において特定の発光装置１０に付随する固定部材４３を外すと、枢支部材４１が支持部材２１から突出した突出位置に前進するので、枢支部材４１に支持された発光装置１０も前進してメンテナンスが可能な状態となる。すなわち、発光装置１０のうち枢支部材４１に支持された水平軸１０ｈによって発光装置１０の回転が可能になる。【選択図】図５
2015215472.tif 000002
【特許請求の範囲】
【請求項１】
支持部材に支持されて隣接して配列される板状の複数の発光体と、
前記複数の発光体を一端側において回動自在に支持する複数の枢支部材と、
前記枢支部材を前記支持部材から突出した突出位置に支持するとともに、付勢力を受けた場合に前記支持部材側の後退位置に後退することを許容する進退部材と、
前記進退部材を前記後退位置に固定する固定部材と、
を備える照明装置。
【請求項２】
前記複数の発光体は、マトリックス状に２次元的に配列されていることを特徴とする請求項１に記載の照明装置。
【請求項３】
前記複数の発光体のうち、一列に配列された発光体は、前記枢支部材に支持される前記一端側において隣接して一列に配列された発光体との間に、前記固定部材を外側から操作するための隙間を有することを特徴とする請求項２に記載の照明装置。
【請求項４】
前記発光体は、平板状の発光装置であることを特徴とする請求項１〜３のいずれか一項に記載の照明装置。
【請求項５】
前記平板状の発光装置は、複数の面状発光素子をマトリックス状に配列して一体化したものであることを特徴とする請求項４に記載の照明装置。
【請求項６】
前記固定部材は、前記発光体のフレーム部に係合した状態で前記支持部材にねじ付けられるボルトであることを特徴とする請求項１〜５のいずれか一項に記載の照明装置。
【請求項７】
前記枢支部材は、前記発光体から延びる軸を支持するＵ字状のサポート部分を有することを特徴とする請求項１〜６のいずれか一項に記載の照明装置。
【発明の詳細な説明】
【技術分野】
【０００１】
本発明は、複数の発光体を組み合わせてなり、点灯パターンにより表示が可能な照明装置に関する。
【背景技術】
【０００２】
ＬＥＤのような発光素子を２次元的に配列した矩形板状の発光ユニットを多数準備し、これらの発光ユニットをタイル状に配列した面発光型照明装置が存在する（例えば特許文献１参照）。この面発光型照明装置では、隙間なく配列された発光ユニットが筐体に収納され、各発光ユニット裏面に設けたプラグと筐体底部の適所に設けたコンセントとが接続されて、筐体外に設けた制御用ドライバーによって発光ユニットに発光動作を行わせることができる。
【０００３】
有機ＥＬのような矩形板状の光源モジュールをタイル状に配列した照明装置も存在する（例えば特許文献２参照）。この照明装置では、各光源モジュールが筐体に取り付けられた作動部に支持されており、後退した発光位置で発光し、突出した着脱位置で作動部に対して着脱可能となっている。また、プッシュクラッチ方式により、光源モジュールを押すごとに光源モジュールを発光位置と着脱位置とに交互に移動させることができるようになっている。
【０００４】
しかし、特許文献１の方法では、プラグ及びコンセントによって発光ユニットが筐体に固定されるが、発光ユニットを交換等の目的で取り外す際に、隣接する発光ユニット間に隙間がほとんどなく、発光ユニットの取り外しが容易でないと考えられる。
つまり、隣り合う発光ユニットの間隔が開くと輝度ムラが発生するため、発光ユニットを殆ど隙間なく敷き詰めることが望ましい。一方で、発光ユニットを殆ど隙間なく敷き詰めた場合、１つの発光ユニットのみを掴むこと容易でなくなり、１つの発光ユニットのみを取り出すことも容易でなくなる。
【０００５】
また、特許文献２の方法では、個々の光源モジュールを着脱することは比較的容易であるが、厚みが増しやすく、簡単な着脱機構とはいえない。また、照明装置をさらにタイル状に配列する場合については説明がなく、タイル状に配列された一部の照明装置を交換、点検等する方法についても、当然ながら開示がない。
【先行技術文献】
【特許文献】
【０００６】
【特許文献１】特開２０１２‐１１９３１２号公報
【特許文献２】特開２０１３‐６５５２０号公報
【発明の概要】
【０００７】
本発明は、上記背景技術の課題に鑑みてなされたものであり、交換、点検等に際しての発光体の取り外しを簡単な機構によって良好な作業性で達成できる照明装置を提供することを目的とする。
【０００８】
上記目的を達成するため、本発明に係る照明装置は、支持部材に支持されて隣接して配列される板状の複数の発光体と、複数の発光体を一端側において回動自在に支持する複数の枢支部材と、枢支部材を支持部材から突出した突出位置に支持するとともに、付勢力を受けた場合に支持部材側の後退位置に後退することを許容する進退部材と、進退部材を後退位置に固定する固定部材とを備える。
【０００９】
上記照明装置では、固定部材によって枢支部材を後退した後退位置に固定した状態において、枢支部材に支持された発光体も後退して表示を行わせることができる状態になる。その後において特定の発光体に付随する固定部材を外すと、枢支部材が支持部材から突出した突出位置に前進するので、枢支部材に支持された発光体も前進してメンテナンスが可能な状態となる。すなわち、発光体のうち枢支部材に支持された部分が回動軸となって発光体が回転可能になる。この際、特定の発光体がその周囲の発光体よりも突出しているので、特定の発光体が周囲の発光体と干渉して回転が妨げられることを防止できる。
【００１０】
本発明の具体的な側面によれば、上記照明装置において、複数の発光体は、マトリックス状に２次元的に配列されている。この場合、複数の発光体がタイル状に配列され、２次元的なパターンを表示することが可能になる。
【００１１】
本発明の別の側面によれば、複数の発光体のうち、一列に配列された発光体は、枢支部材に支持される一端側において隣接して一列に配列された発光体との間に、固定部材を外側から操作するための隙間を有する。この場合、発光体の列間に枢支部材や進退部材が配置されている場合であっても、進退部材や固定部材の操作が容易になる。
【００１２】
本発明のさらに別の側面によれば、発光体は、平板状の発光装置である。この場合、平板状の発光装置の組み合わせによって２次元的な表示パターンを形成できる。
【００１３】
本発明のさらに別の側面によれば、平板状の発光装置は、複数の面状発光素子をマトリックス状に配列して一体化したものである。この場合、複数の面状発光素子からなる発光装置をさらに複数組み合わせた表示が可能になる。
【００１４】
本発明のさらに別の側面によれば、固定部材は、発光体のフレーム部に係合した状態で支持部材にねじ付けられるボルトである。この場合、固定部材による進退部材の支持部材への固定を簡易で作業性の良いものとできる。
【００１５】
本発明のさらに別の側面によれば、枢支部材は、発光体から延びる軸を支持するＵ字状のサポート部分を有する。この場合、枢支部材を簡易な構造とでき、かつ、発光体の安定した支持が可能なる。さらに、発光体を上方に移動させるだけで発光体を枢支部材から外すこともできる。
【図面の簡単な説明】
【００１６】
【図１】本発明の一実施形態に係る照明装置を説明する概念的な斜視図である。
【図２】図１に示す照明装置の正面図である。
【図３】照明装置を構成する１つの発光装置を説明する正面図である。
【図４】発光体又は発光装置の着脱用支持構造を説明する部分側方断面図である。
【図５】発光装置の着脱用支持構造を説明する部分側方断面図である。
【図６】発光装置の着脱用支持構造を説明する部分拡大斜視図である。
【発明を実施するための形態】
【００１７】
以下、図面を参照して、本発明の一実施形態に係る照明装置の構造や機能について説明する。
【００１８】
図１及び２に示す照明装置１００は、情報表示型の照明パネルであり、道路等に付随して設置される標識、或いは、建築物又は街路に設置される看板等として機能させることができる。照明装置１００は、例示のように矩形（正方形を含む）の板状の外観を有するものとでき、タイル状に配列された多数の発光体である面状発光素子１１を有する。各面状発光素子（発光体）１１は、例えば同色の発光が可能に形成されており、各面状発光素子１１の点滅を制御することによって、全体として２次元パターンの表示が可能になり、各面状発光素子１１の点滅状態や点灯強度を経時的に変化させることによって、動的な表示も可能になる。面状発光素子１１としては、例えば有機ＥＬ素子を用いることができるが、これに代えてＬＥＤ等の発光素子を用いることもできる。
【００１９】
照明装置１００は、マトリックス状に配列され同一形状を有する複数の平板状の発光装置１０からなり、鉛直のＺ方向と水平のＹ方向とに延びる。各発光装置１０は、複数の支持部材２１，２２，２３からなる支持枠２０によって背後から支持されており、これらの支持部材２１，２２，２３は、不図示の建築物その他の構造物の壁面、枠組み、支柱等に固定されて安定した状態で支持されている。なお、図示の例では、発光装置１０が縦２枚及び横３枚の計６枚構成となっており、横３枚の発光装置１０を上下２列に配列したものとなっているが、照明装置１００の目的に応じて発光装置１０の配列パターンや配列枚数を調整することができる。隣接する一対の発光装置１０間には、目立たない程度の僅かな隙間Ｇ１，Ｇ２が形成されている。図示の例では、上下列間の隙間Ｇ１と左右列間の隙間Ｇ２とが略等しく設定されている。また、図示する照明装置１００の場合、その外周部が露出しているが、着脱可能なカバーを設けて外周部を野外等の厳しい環境から保護することができる。
【００２０】
図２、３等に示すように、個々の発光装置１０は、縦長であり、マトリックス状に配列され同一形状を有する複数の矩形平板状の面状発光素子（発光体）１１を備える。発光装置１０は、全体としての照明装置１００と同様に、Ｚ方向及びＹ方向に延びる。なお、図示の例では、発光装置１０が縦３枚及び横５枚の計１５枚の構成で配列されているが、本発明はこれに限るものではない。また、面状発光素子１１の輪郭は、図示のような正方形（具体例では１０×１０ｃｍ）に限らず、長方形等とすることができ、コーナーに丸みを設けてもよい。面状発光素子（発光体）１１の発光装置１０に対する固定方法は、任意であり、ネジ等を利用して着脱可能にした固定部材を用いることで発光装置１０を極めて薄型の構造とすることができるが、特開２０１３‐６５５２０号公報（特許文献２）のような固定方法を採用することもできる。
【００２１】
図３〜５に示すように、発光装置１０は、複数の面状発光素子１１の他に、これら複数の面状発光素子１１を背後から支持するフレーム部１４と、複数の面状発光素子１１の前面側に支持される単体のフィルター１５と、フィルター１５等を覆う保護カバー１６とを備える。フィルター１５や保護カバー１６は、透明又は拡散性を有する部材であり、フレーム部１４に支持されている。発光装置１０は、面状発光素子１１を発光させる給電部１２を備えており、外部からの入力信号に応じて３×５枚の面状発光素子１１の発光パターンを所望のものに設定することができる。給電部１２は、上記のように発光パターンに関連する駆動部その他の付属回路を含むものとできるが、このような付属回路を含まないものであってもよい。給電部１２は、支持枠２０側に設けたコネクター２５にケーブル１２ｃを介して着脱可能に接続されている。コネクター２５は、支持枠２０に付属物として取り付けられた不図示の制御駆動回路に接続されている。各発光装置１０の上辺部には、フレーム部１４から延びる一対の固定用突起１０ｆが設けられており、各発光装置１０の下部にも、フレーム部１４から延びる一対の固定用突起１０ｇが設けられている。固定用突起１０ｆ，１０ｇは、ボルト１０ｊによって支持枠２０側に固定され、発光装置１０の安定した取付を可能にしている。なお、固定用突起１０ｆ，１０ｇの配置や個数は、発光装置１０のサイズや設置環境に応じて適宜変更する。
【００２２】
図４〜６に示すように、発光装置１０は、着脱用支持構造４０を介して支持枠２０側に支持されている。着脱用支持構造４０は、発光装置１０を一端側である上部１０ｐにおいて回動自在に支持する枢支部材４１と、枢支部材４１を正面側すなわちＸ側に進退可能に支持する進退部材４２と、進退部材４２を解除可能にロックする固定部材４３とを備える。
【００２３】
枢支部材４１は、発光装置１０の一端側である上部１０ｐの左右両端から水平の横方向に延びる一対の回動軸又は水平軸１０ｈを支持する一対のＵ字状のサポート部分４１ａを有する。サポート部分４１ａに形成された切欠き部４１ｃには、水平軸１０ｈが挿入され、水平軸１０ｈの移動を下方や側方から制限する。つまり、枢支部材４１は、発光装置１０が水平軸１０ｈのまわりに回動することを許容し、発光装置１０を鉛直上方すなわち＋Ｚ方向に移動させた場合、枢支部材４１から水平軸１０ｈを外すことができ、支持構造４０から発光装置１０を分離することができるようになっている。なお、枢支部材４１は、図示のものに限らず様々な変形が可能である。要は、発光装置１０の水平軸１０ｈを下方から支持し、Ｘ方向の前後への変位を制限できるものであれば、支持点を点状の３箇所で構成するものに限らず、曲面又は曲線とできる。ただし、簡易な構造とする観点で、転がり軸受けのような複雑な構造とすることはあまり望ましくない。
【００２４】
図４、５等に示すように、進退部材４２は、付勢装置４４を備え、この付勢装置４４に支持されてＸ方向に進退可能となっている。付勢装置４４は、一対の付勢部材４４ａを有している。各付勢部材４４ａは、図５に拡大して示すように、進退部材４２の本体４２ｂに固定されて後方に延びるスリーブ４４ｄと、支持部材２１に固定されて前方に延びるロッド４４ｅと、スリーブ４４ｄの周囲に配置されているコイルバネ４４ｆとを備える。スリーブ４４ｄ中にはロッド４４ｅが摺動によって進退可能に挿入されている。コイルバネ４４ｆは、本体４２ｂと支持部材２１とに挟まれて本体４２ｂを支持部材２１から離間させる力を与える。つまり、付勢部材４４ａは、外力が働かない場合、進退部材４２や枢支部材４１を支持部材２１から突出した突出位置に支持することができ（図５参照）、押し込むような外力又は付勢力を受けた場合、進退部材４２や枢支部材４１が支持部材２１側の後退位置に後退することを許容する（図４参照）。
なお、付勢部材４４ａは、図示のものに限らず様々な変形が可能である。すなわち、バネのような弾性体と摺動構造のようなガイドとを組み合わせることで、枢支部材４１を突出位置に支持しつつ押し込まれた場合、枢支部材４１を後退位置に後退させることができる。
【００２５】
図４等に示す着脱用支持構造４０を構成する固定部材４３は、固定用突起１０ｆに付随するボルト１０ｊを兼用したものとなっている（図３参照）。固定部材４３であるボルト１０ｊは、図４に示す固定状態において、支持部材２１に立設された取付金具２２ｆのネジ穴２２ｇにネジ込まれており、発光装置１０の上部１０ｐがＸ方向に沿った前面側に迫り出すことを防止している。一方、ボルト１０ｊは、図５に示す解除状態において、緩められて取付金具２２ｆから外されており、発光装置１０の上部１０ｐがＸ方向に沿った前面側に迫り出すことを許容している。これにより、発光装置１０の上部１０ｐは、上側に隣接する点線で示す発光装置１０の下部１０ｑよりも＋Ｘ方向に突出し、下側の発光装置１０の上部１０ｐが上側の発光装置１０の下部１０ｑと干渉することを回避しやすくできる。結果的に、ボルト１０ｊを外すことにより、下側の発光装置１０の下端部を持って前方及び上方に移動させる振り上げ（図５では反時計回りの回動）が可能になる。
【００２６】
以下、図１及び２に示す照明装置１００のメンテナンスについて、その一例を説明する。照明装置１００のうち、例えば下側の列に配置された１つの発光装置１０を交換する場合、まず、発光装置１０の周囲のボルト１０ｊを緩めて外す。これにより、固定部材４３（上側のボルト１０ｊ）を緩めて外すことになる。具体的には、ドライバー等の工具先端を隙間Ｇ１に差し込み、ボルト１０ｊを回転させることで、ボルト１０ｊの先端の取付金具２２ｆへの固定を解除する。これにより、付勢装置４４が機能して水平軸１０ｈを介して発光装置１０を押し出し、発光装置１０の上部１０ｐが周囲よりも前面側に迫り出すので、発光装置１０の下部を持って振り上げることができるようになる。次いで、発光装置１０の下部を振り上げると、図３に示すコネクター２５が露出するので、ケーブル１２ｃをコネクター２５から外す。その後、発光装置１０の下部を一旦元に戻し、発光装置１０全体を若干持ち上げて隙間Ｇ１を狭くする。これにより、枢支部材４１のサポート部分４１ａと発光装置１０の水平軸１０ｈとの係合が簡単に外れ、発光装置１０全体を前方に引き出すことが可能になり、発光装置１０の取り外しが完了する。つまり、枢支部材４１に引っかけてあった水平軸１０ｈを外すような操作を行うだけで発光装置１０を簡単に取り外すことができる。その後は、新たな発光装置１０を準備し、上記と逆の工程で新たな発光装置１０を支持枠２０に固定する。
【００２７】
以上のように、本実施形態に係る照明装置１００によれば、固定部材４３としてのボルト１０ｊによって枢支部材４１を後退した後退位置に固定した状態において、枢支部材４１に支持された発光装置（発光体）１０も後退して表示を行わせることができる状態になる。その後において特定の発光装置１０に付随する固定部材４３を外すと、枢支部材４１が支持部材２１から突出した突出位置に前進するので、枢支部材４１に支持された発光装置１０も前進してメンテナンスが可能な状態となる。すなわち、発光装置１０のうち枢支部材４１に支持された水平軸１０ｈによって発光装置１０の回転が可能になる。この際、特定の発光装置１０がその周囲の発光装置よりも突出しているので、特定の発光装置１０が周囲の発光装置と干渉して回転や取り外しが妨げられることを防止できる。
【００２８】
以上、実施形態に係る照明装置１００について説明したが、本発明に係る照明装置は、上記のものには限られない。例えば、上記実施形態において、枢支部材４１の後退位置と突出位置との位置差又は距離差は、単なる例示であり、増減変更できる。
【００２９】
また、発光装置１０間の隙間Ｇ１，Ｇ２も装置環境等に応じて適宜変更できるが、発光装置間の隙間があまり広がると、本発明における枢支部材や進退部材を設ける必要性が薄れる。なお、上下間の隙間Ｇ１については、横に一様とする必要はなく、固定用突起１０ｆ等の位置で幅を広げたものとできる。
【００３０】
上記実施形態では、照明装置１００のうち、上側の列の発光装置１０の発光装置１０については、着脱用支持構造４０のような迫り出す機構を設けていないが、上側の列の発光装置１０についても、下側の列の発光装置１０と同様の着脱用支持構造４０を設けることができる。また、下側の列の発光装置１０の下端側において、固定用突起１０ｇを付勢部材４４ａと同様のバネで弾性的に受ける構造とすることもできる。
【００３１】
固定用突起１０ｆ，１０ｇやボルト１０ｊの設置箇所や個数も単なる例示であり、発光装置１０のサイズや設置環境に応じて適宜変更することができる。
【００３２】
発光装置１０は、有機ＥＬやＬＥＤに限らず、他の発光素子を備えるものとできる。また、使用環境に応じてフィルター１５や保護カバー１６を省略することができる。発光装置１０は、曲面の発光面を有するものとできる。この場合、面状発光素子１１自体が曲面であってもよいが、面状発光素子１１を曲面に沿って配置することができ、多数の発光装置１０を曲面に沿って取り付けることもできる。さらに、発光装置１０には、複数の面状発光素子１１を設けるのではなく、単一の面状発光素子１１を設けることもできる。
【００３３】
照明装置１００は、鉛直方向に延びる面に限らず、傾いた平面又は曲面状の箇所、天井面のような下向きの箇所に取り付けることもできる。
【符号の説明】
【００３４】
１０…発光装置、  １０ｆ，１０ｇ…固定用突起、  １０ｈ…水平軸、  １０ｊ…ボルト、  １０ｐ…上部、  １１…面状発光素子、  １２…給電部、  １２ｃ…ケーブル、  １４…フレーム部、  １５…フィルター、  １６…保護カバー、  ２０…支持枠、  ２１，２２，２３…支持部材、  ２２ｆ…取付金具、  ２２ｇ…ネジ穴、  ２５…コネクター、  ４０…着脱用支持構造、  ４１…枢支部材、  ４１ａ…サポート部分、  ４１ｃ…切欠き部、  ４２…進退部材、  ４２ｂ…本体、  ４３…固定部材、  ４４…付勢装置、  ４４ａ…付勢部材、  ４４ｄ…スリーブ、  ４４ｅ…ロッド、  ４４ｆ…コイルバネ、  １００…照明装置、  Ｇ１，Ｇ２…隙間
【図１】
2015215472.tif 000003
【図２】
2015215472.tif 000004
【図３】
2015215472.tif 000005
【図４】
2015215472.tif 000006
【図５】
2015215472.tif 000007
【図６】
2015215472.tif 000008